(57)【要約】【課題】簡易な構成で高いセキュリティ性を実現できる情報記録物等を提供する。【解決手段】情報記録物１は、可視光下で読取可能な可視画像情報１３ａと、基材１１上に形成された、赤外線を吸収する第１の画像情報１３ｂおよび第２の画像情報１３ｃと、第２の画像情報１３ｃの上に形成された、赤外線による励起光で励起され、励起光とはピーク波長が異なる赤外線を発光する赤外線発光層１５と、第１の画像情報１３ｂおよび第２の画像情報１３ｃの上に形成された、赤外線透過・可視光反射／吸収層１７と、を有し、各画像情報の組み合わせにより情報を暗号化して記録することが可能である。【選択図】図１
2014127140.tif 000002
【特許請求の範囲】
【請求項１】
画像情報が記録された情報記録物であって、
基材上に形成された、赤外線を吸収する第１の画像情報および第２の画像情報と、
前記第２の画像情報の上または下に形成された、赤外線による励起光で励起され、励起光とはピーク波長が異なる赤外線を発光する赤外線発光層と、
を備えたことを特徴とする情報記録物。
【請求項２】
前記第１の画像情報および前記第２の画像情報の上に形成された、赤外線を透過し、可視光を反射もしくは吸収する層を更に備えたことを特徴とする請求項１記載の情報記録物。
【請求項３】
可視光下で読取可能な可視画像情報を更に備えたことを特徴とする請求項１または請求項２記載の情報記録物。
【請求項４】
赤外線を透過し、可視光を反射もしくは吸収する前記層が、前記赤外線発光層の上に設けられたことを特徴とする請求項２記載の情報記録物。
【発明の詳細な説明】
【技術分野】
【０００１】
本発明は、赤外線発光層を用いた情報記録物に関する。
【背景技術】
【０００２】
くじやチケットなど、文字やバーコード等の画像情報を記録した情報記録物では、一般的に、誰もが視認できるように画像情報が形成される。従って、他者に知られて偽造や改ざんをされる可能性がある。そこで、画像情報を不可視化し、所定の読取装置で読み取ることによって、偽造等を防止する技術が提案されている。
【０００３】
この例として、紫外線で励起して可視光を発光するインキを用いて肉眼では見えない画像情報を形成し、これを紫外線で励起させ可視光受光センサを用いて読み取る方法が多く用いられている。ただし、この方法は広く認知されており、インキ材料の入手も容易であるため、偽造等を防止する効果が低いという問題がある。
【０００４】
そこで、赤外線を吸収する材料で形成した画像情報と、赤外線で励起され赤外線を発光する赤外線発光層とを、基材に塗布して積層する技術が知られている。
【０００５】
例えば、特許文献１には、基材上に赤外線発光層を形成し、その上に赤外線吸収材料による画像情報を形成し、さらにその上に可視光の一部を吸収する隠蔽層を形成した媒体について、読取装置により画像情報を読み取る方法が記載されている。
また、特許文献２には、基材上に赤外線吸収材料による画像情報を形成し、その上に赤外線発光層を形成してこれにより画像情報を隠蔽した媒体について、画像情報を読取装置で読み取る方法が記載されている。
【先行技術文献】
【特許文献】
【０００６】
【特許文献１】登録実用新案第３０１３３２８号公報
【特許文献２】特開２００１−９６８８９号公報
【発明の概要】
【発明が解決しようとする課題】
【０００７】
上記の方法を用いることで、画像情報を目視できないように隠蔽した場合でも赤外線読取装置により読み取ることが可能になり、またインキ材料等も比較的入手は困難である。しかしながら、このような場合でも、やはり偽造や改ざんの恐れは否定できず、そのセキュリティ性を高めることが望まれる。
【０００８】
本発明は、前述した問題点に鑑みてなされたもので、簡易な構成で高いセキュリティ性を実現できる情報記録物等を提供することを目的とする。
【課題を解決するための手段】
【０００９】
前述した目的を達するための第１の発明は、画像情報が記録された情報記録物であって、基材上に形成された、赤外線を吸収する第１の画像情報および第２の画像情報と、前記第２の画像情報の上または下に形成された、赤外線による励起光で励起され、励起光とはピーク波長が異なる赤外線を発光する赤外線発光層と、を備えたことを特徴とする情報記録物である。
【００１０】
上記のように構成された情報記録物は、赤外線を用いて画像情報の読取を行うことができ、その読取方法によって読み取れる画像情報の種類が異なる。例えば、照射する赤外線と同じ赤外線を受光して読取を行うような読取装置を用いた場合では、第１の画像情報と第２の画像情報が読取れる。一方、第２の画像情報は、照射する赤外線と異なる赤外線を受光するような読取装置を用いることによっても読取れるが、この読取装置では、第１の画像情報を読み取ることができない。従って、第１の画像情報と第２の画像情報との組合せにより情報の暗号化が可能になり、セキュリティ性が向上される。真に必要な情報を第２の画像情報として記録しておくことで、上記のうち後者の読取装置を用いて第２の画像情報のみを識別して読取ることができる。
【００１１】
また、例えば偽造等を目的として第２の画像情報を読取ったとしても、単に同じ内容の画像情報を基材上に形成しただけでは、上記した後者の赤外線読取装置で読取ることができず、偽であることが容易に判別できる。また、記録する内容をどのような画像情報として記録するかを、秘匿性に応じて選択することも可能となる。
【００１２】
第１の発明の情報記録物は、前記第１の画像情報および前記第２の画像情報の上に形成された、赤外線を透過し、可視光を反射もしくは吸収する層を更に備えることが望ましい。
これにより、第１の画像情報および第２の画像情報を不可視として隠蔽しつつ、赤外線による情報の読取が可能である。
【００１３】
第１の発明の情報記録物は、可視光下で読取可能な可視画像情報を更に有することが望ましい。
こうして多種類の画像情報を形成することで、記録する内容をどのような画像情報として記録するかを、秘匿性に応じてより柔軟に選択することができ情報記録物の利便性が向上する。
【００１４】
赤外線を透過し、可視光を反射もしくは吸収する前記層が、前記赤外線発光層の上に設けられることが望ましい。
こうして赤外線発光層の存在を外部から不可視とすることができ、セキュリティ性が高まる。
【発明の効果】
【００１５】
本発明により、簡易な構成で高いセキュリティ性を実現できる情報記録物等を提供することができる。
【図面の簡単な説明】
【００１６】
【図１】情報記録物１について示す図
【図２】読取装置５０ａ、５０ｂ、５０ｃについて説明する図
【図３】画像情報の読取結果について示す図
【図４】情報記録物１の例について示す図
【図５】情報記録物１ａについて示す図
【図６】情報記録物１ｂについて示す図
【図７】実施例を説明する図
【発明を実施するための形態】
【００１７】
以下、本発明の実施形態を、図面を参照しながら詳細に説明する。
【００１８】
［第１の実施形態］
（１．情報記録物１の構成）
図１は、本発明の第１の実施形態の情報記録物１について示す図である。
【００１９】
図１に示すように、情報記録物１では、基材１１の上に可視画像情報１３ａ、第１の画像情報１３ｂ、第２の画像情報１３ｃが形成される。また、第２の画像情報１３ｃの上には赤外線発光層１５が形成される。さらに、第１の画像情報１３ｂと赤外線発光層１５の上に赤外線透過・可視光反射／吸収層１７が重ねて形成される。なお、赤外線透過・可視光反射／吸収層１７の語において「・」は「かつ」の意であり、「／」は「もしくは」の意である。すなわち、赤外線透過・可視光反射／吸収層１７は、「赤外線を透過し、かつ、可視光を反射もしくは吸収する層」である。
【００２０】
基材１１は、例えば印刷用の各種の用紙であるが、赤外線を反射するものであれば、特にその材質等は問わない。
【００２１】
可視画像情報１３ａ、第１の画像情報１３ｂ、第２の画像情報１３ｃは、カーボンブラック等の赤外線を吸収する材料を含むインキによる印刷で形成する。例えば、一般に用いられているカーボンを含んだ黒色のインキによる印刷を行えばよい。
【００２２】
ただし各画像情報がこれに限ることはない。例えば、可視画像情報１３ａは周囲の基材１１との色の違いにより可視光下で読み取れるものであればよく、各種の材料を用いて形成することができる。また、第１の画像情報１３ｂ、第２の画像情報１３ｃは、カーボンブラック等を含み赤外線を吸収する材料であれば使用することができる。あるいは、樹脂等の基材１１上にレーザーを照射することにより、赤外線を吸収するようなパターンを形成することも可能である。
【００２３】
なお、本実施形態では各画像情報を二次元コードとするが、これに限らず、バーコード、ＯＣＲ用数字、数字、文字、絵柄、記号等であってもよい。
【００２４】
赤外線発光層１５は、赤外線を励起光として照射することにより励起され、励起光とは異なるピーク波長の赤外線を発光する蛍光体を分散して含む蛍光材料を、ベタ印刷することにより形成される。この蛍光体としては、例えば、ピーク波長約８１０ｎｍの励起光を照射された時に、約１０００ｎｍのピーク波長を有する赤外線を発光するものを用いる。なお、赤外線発光層１５に用いる材料は、燐光材料でもよい。
【００２５】
また、赤外線発光層１５に用いる蛍光材料等は顔料であっても染料であってもよいし、有機材料、無機材料のどちらも使用可能である。さらに、赤外線発光層１５として、蛍光色素や量子ドット材料等を用いることも可能である。いずれにせよ、赤外線発光層１５が、赤外線を励起光として照射することにより励起され、励起光とは異なるピーク波長の赤外線を発光するようにすればよい。
【００２６】
このように、赤外線発光層１５に適用可能な材料には様々なものがあるが、このうち特に無機の蛍光顔料は、耐候性および発光効率の点から適している。このような無機の蛍光顔料としては、３価のネオジム（Ｎｄ３＋）、３価のイッテルビウム（Ｙｂ３＋）及び３価のエルビウム（Ｅｒ３＋）を含有したものが知られており、たとえば、Ｎａ５（Ｙｂ，Ｎｄ）（ＭｏＯ４）４、（Ｙ，Ｌａ，Ｌｕ）ＰＯ４：Ｙｂ，Ｎｄ、（Ｌｕ，Ｙｂ，Ｎｄ）２Ｏ２Ｓなどがあげられる。
【００２７】
赤外線発光層１５のベタ印刷は、オフセット印刷、グラビア印刷、フレキソ印刷、スクリーン印刷、パッド印刷等で行ってもよいし、転写シート、ラベル等を用いて赤外線発光層１５を形成するようにしてもよい。また、上記の蛍光材料をスプレーで塗布することにより赤外線発光層１５を形成することも可能である。
【００２８】
赤外線透過・可視光反射／吸収層１７は、赤外線を透過し、可視光を反射もしくは吸収する層であり、下方にある第１の画像情報１３ｂ、第２の画像情報１３ｃを肉眼では不可視にする。赤外線透過・可視光反射／吸収層１７は、赤外線を透過し可視光を反射もしくは吸収する材料を含んでいればよく、種々の材料を使用することができる。例えば、シアン、マゼンダ、イエローの顔料を含んだ黒色の層や、マゼンダ、イエローの顔料を含んだ橙色の層、シアン、イエローの顔料を含んだ緑色の層とすることができる。この赤外線透過・可視光反射／吸収層１７は、印刷により形成できる。
【００２９】
（２．情報記録物１の読取）
次に、情報記録物１の読取について図２、３を参照して説明する。
【００３０】
本実施形態では、図２（ａ）、（ｂ）、（ｃ）にそれぞれ示す読取装置５０ａ、５０ｂ、５０ｃを用いて読取を行うことができる。
【００３１】
図２（ａ）の読取装置５０ａは、可視光照射部５１ａ、可視光撮像部５３ａ等を有する。
【００３２】
可視光照射部５１ａは、例えば発光ダイオード等であり、可視光を情報記録物１に照射する。
可視光撮像部５３ａは、情報記録物１からの反射光を複数の受光素子で受光して撮像を行い、各受光素子で受光した光の強度を画像上の輝度値である画素値に変換する。可視光撮像部５３ａとしては、例えば可視光領域に感度を有するカメラを用いることができる。
【００３３】
なお、読取装置５０ａにおいて可視光照射部５１ａを省略し、環境光を利用して可視光撮像部５３ａによる撮像を行うことも可能である。
【００３４】
図２（ｂ）の読取装置５０ｂは、赤外線照射部５１ｂ、赤外線撮像部５３ｂ等を有する。
【００３５】
赤外線照射部５１ｂは、例えば発光ダイオード等であり、赤外線を情報記録物１に照射する。本実施形態では、赤外線照射部５１ｂは、ピーク波長約８５０ｎｍの赤外線を情報記録物１に照射する。
赤外線撮像部５３ｂは、上記の可視光撮像部５３ａと同様であるが、赤外線を受光して撮像を行う点で異なる。赤外線撮像部５３ｂとしては、赤外線領域に感度を有するカメラを用いることができる。また、赤外線撮像部５３ｂには、約８５０ｎｍの波長の赤外線を透過するフィルタ５４ｂを取付ける。
【００３６】
図２（ｃ）の読取装置５０ｃは、赤外線照射部５１ｃ、赤外線撮像部５３ｃ等を有する。
【００３７】
赤外線照射部５１ｃは、上記の赤外線照射部５１ｂと同様である。ただし、赤外線照射部５１ｃは、ピーク波長約８１０ｎｍの赤外線を情報記録物１に照射するものとする。
赤外線撮像部５３ｃも、上記の赤外線撮像部５３ｂと同様である。ただし、赤外線撮像部５３ｃには、約１０００ｎｍの波長の赤外線を透過するフィルタ５４ｃを取付ける。
【００３８】
各読取装置５０ａ、５０ｂ、５０ｃには情報処理装置５５が接続される。情報処理装置５５は、各読取装置５０ａ、５０ｂ、５０ｃで撮像した情報記録物１の画像を取得し、表示処理や認証処理などを必要に応じて行う。情報処理装置５５は、制御部、記憶部、表示部、通信部等を備えた一般的なコンピュータで実現できる。
【００３９】
次に、これらの読取装置５０ａ、５０ｂ、５０ｃで情報記録物１を読取った画像について、図３を参照して説明する。
【００４０】
図３（ａ）は、図２（ａ）の読取装置５０ａで情報記録物１を読取った画像４０を示す図である。この場合、可視画像情報１３ａのみ読取ることができ、赤外線透過・可視光反射／吸収層１７で覆われた第１の画像情報１３ｂ、第２の画像情報１３ｃは読取ることができない。
【００４１】
図３（ｂ）は、図２（ｂ）の読取装置５０ｂで情報記録物１を読取った画像４０を示す図である。
【００４２】
前記した通り、読取装置５０ｂでは、ピーク波長約８５０ｎｍの赤外線を情報記録物１に照射する。可視画像情報１３ａはこの赤外線を吸収する一方、周囲の基材１１はこの赤外線を反射するので、そのコントラストにより可視画像情報１３ａを読取ることが可能である。
【００４３】
第１の画像情報１３ｂについても、上方にある赤外線透過・可視光反射／吸収層１７は赤外線を透過するので、同様に第１の画像情報１３ｂを読取ることが可能である。また、第２の画像情報１３ｃについても、上方にある赤外線透過・可視光反射／吸収層１７に加え、赤外線発光層１５の蛍光体以外の部分が赤外線を透過させるので、同様に第２の画像情報１３ｃを読取ることが可能である。
【００４４】
図３（ｃ）は、図２（ｃ）の読取装置５０ｃで情報記録物１を読取った画像４０を示す図である。
【００４５】
前記した通り、読取装置５０ｃでは、ピーク波長約８１０ｎｍの赤外線を情報記録物１に照射する。可視画像情報１３ａはこの赤外線を吸収する一方、周囲の基材１１はこの赤外線を反射する。しかし、反射した約８１０ｎｍの波長の赤外線は、前記のフィルタ５４ｃを透過しないので、可視画像情報１３ａおよびその周囲が低輝度となり、可視画像情報１３ａを読取ることができない。第１の画像情報１３ｂについても同様である。
【００４６】
一方、上記の赤外線は、赤外線透過・可視光反射／吸収層１７を透過して第２の画像情報１３ｃの上方にある赤外線発光層１５に到達し、赤外線発光層１５の蛍光体を励起させる。励起された蛍光体は、前記の通り約１０００ｎｍのピーク波長の赤外線を発光し、この赤外線が、上方にある赤外線透過・可視光反射／吸収層１７とフィルタ５４ｃを透過して、赤外線撮像部５３ｃで受光される。
【００４７】
この時、赤外線発光層１５の下にある第２の画像情報１３ｃは、画像４０上で周囲に対し低輝度の部分として現れ、読取可能となる。第２の画像情報１３ｃの上に赤外線発光層１５が形成されているにも関わらず、第２の画像情報１３ｃが画像４０上で低輝度の部分となるのは、赤外線発光層１５に分散して含まれる蛍光体の量が、層全体の半分弱程度であり、蛍光体以外の部分で下方の第２の画像情報１３ｃ等が画像４０に現れ、この際、蛍光体から発光した赤外線が基材１１上で反射する第２の画像情報１３ｃの周囲の部分に対し、赤外線が吸収される第２の画像情報１３ｃの部分が低輝度となるためである。さらに、第２の画像情報１３ｃ上の赤外線発光層１５の膜厚が、その他の部分に比較すると薄いことも、第２の画像情報１３ｃが低輝度の部分として現れるのに寄与する。
【００４８】
このように、本実施形態の情報記録物１は、読取装置５０ａ、５０ｂ、５０ｃによって読取られる画像情報が異なる。従って、これらの画像情報の組合せにより情報の暗号化が可能になり、セキュリティ性が容易に向上できる。
【００４９】
この例を図４に示す。図４の情報記録物１では、可視画像情報１３ａ、第１の画像情報１３ｂ、第２の画像情報１３ｃを文字情報とし、時候の挨拶を記録している。なお、図４では説明のため赤外線透過・可視光反射／吸収層１７で覆われた第１の画像情報１３ｂ、第２の画像情報１３ｃも図示している。後述する図７（ａ）、（ｂ）でも同様である。
【００５０】
この情報記録媒体１を図２（ａ）の読取装置５０ａで読取った場合は、上部が赤外線透過・可視光反射／吸収層１７で覆われていない可視画像情報１３ａとして、挨拶の冒頭部分が読み取れるだけであり、また図２（ｂ）の読取装置５０ｂで読取った場合にも、各画像情報により挨拶の全文が読み取れるだけである。
【００５１】
しかし、図２（ｃ）の読取装置５０ｃで情報記録物１を読取ると、赤外線発光層１５で覆われた第２の画像情報１３ｃのみを読取ることができ、これを繋げると、「ひ」「が」「し」すなわち「東」という暗号化情報を読取ることができる。
【００５２】
このように、情報記録物１では画像情報の組み合わせにより情報を暗号化して記録でき、真の情報は読取装置５０ｃによってのみ読取ることができるので、セキュリティ性が向上する。
【００５３】
また、例えば偽造等を目的として、読取装置５０ｂのような赤外線読取装置を用いて第２の画像情報１３ｃを読取ったとしても、単に同じ内容の画像情報を基材１１上に形成しただけでは、読取装置５０ｃで読取ることができず、偽であることが容易に判別できる。
【００５４】
従って、画像情報に記録する内容を秘匿性に応じて選択することも可能である。例えば、図１の情報記録物１はコンサートのチケット等としても適用することができ、この場合、可視画像情報１３ａは可視光下で容易に読取れるので、秘匿性の低い情報、例えば会場名などとすることができる。一方、第２の画像情報１３ｃは、秘匿性の高い情報、例えばコンサートチケットにおける発券者名や真贋を記録した情報とできる。第１の画像情報１３ｂは中間的な秘匿性の情報とすればよい。このように、記録する内容をどのような画像情報として記録するかは、その秘匿性に応じて柔軟に選択することが可能である。
【００５５】
この他、情報記録物１は各種の金券やくじ等にも同様に用いることができる。各画像情報の内容は、情報記録物１の種類に応じて定めることができる。
【００５６】
さらに、情報記録物１では、第１の画像情報１３ｂ、第２の画像情報１３ｃの上に、赤外線透過・可視光反射／吸収層１７が形成されるので、第１の画像情報１３ｂおよび第２の画像情報１３ｃを不可視として隠蔽しつつ、赤外線による情報の読取が可能である。ただし、赤外線透過・可視光反射／吸収層１７は省略することも可能である。
【００５７】
また、本実施形態では第２の画像情報１３ｃの上に赤外線発光層１５が形成されるので、第２の画像情報１３ｃの印刷完了後に、第２の画像情報１３ｃ上の必要な部分のみに、後から赤外線発光層１５を付与することができ、材料の消費量を簡単に抑えることができる利点がある。
【００５８】
なお、赤外線発光層１５は、赤外線透過・可視光反射／吸収層１７の上に形成することも可能であるが、セキュリティ性の観点からは、本実施形態のように、赤外線発光層１５の上に赤外線透過・可視光反射／吸収層１７を設け、赤外線発光層１５の存在を隠しておくことが望ましい。
【００５９】
次に、本発明の別の例について第２、第３の実施形態として説明する。各実施形態の説明は第１の実施形態と異なる点について主に行い、同様の点については図等で同じ符号を付すなどして説明を省略する。
【００６０】
［第２の実施形態］
図５は、第２の実施形態の情報記録物１ａを示す図である。この情報記録物１ａは、赤外線発光層１５の上に第２の画像情報１３ｃが設けられ、その上に赤外線透過・可視光反射／吸収層１７が配置される点で、第１の実施形態と異なる。
【００６１】
この第２の実施形態でも、第１の実施形態と同様にして各画像情報の読取を行うことが可能であり、第１の実施形態と同様の効果が得られる。また、第２の実施形態では、読取装置５０ｃにて励起光として赤外線を照射した際に、第２の画像情報１３ｃが赤外線を吸収することによりその下にある赤外線発光層１５が励起されにくく、画像４０において第２の画像情報１３ｃのエッジ部分でより高いコントラストが得られる利点がある。
【００６２】
［第３の実施形態］
次に、第３の実施形態の情報記録物１ｂとして封緘物を挙げ、画像情報を、封入物とその送り先が一致するかを検査する際に利用する例について説明する。
【００６３】
図６は情報記録物１ｂの断面構成を示す図である。図に示すように、情報記録物１ｂは、各種の封入物２２と検査用媒体２０とを、赤外線透過・可視光反射／吸収層１７である封筒に封入して覆い、これらを封緘したものである。この封筒には、可視光下で読取可能な可視画像情報１３ａとして、送り先の名称等が記録される。
【００６４】
一方、検査用媒体２０では、基材１１の上に第１の画像情報１３ｂ、第２の画像情報１３ｃが設けられる。第２の画像情報１３ｃの上には、さらに赤外線発光層１５が重ねて設けられる。本実施形態では、前記の封入物２２を個人ごとの各種の請求書や申込用紙とし、図４等で説明したように、第１の画像情報１３ｂ、第２の画像情報１３ｃにより、封入物２２の送り先の名称を暗号化するものとする。
【００６５】
赤外線透過・可視光反射／吸収層１７としての封筒は、例えば各種の紙材で形成され、赤外線を透過し可視光を吸収もしくは反射する。これにより第１の画像情報１３ｂ、第２の画像情報１３ｃは肉眼では不可視になる。そして本実施形態でも、図４の例と同様にして、読取装置５０ｃを用い、暗号化された検査用媒体２０の送り先の名称を読取ることができる。そして、読取装置５０ａで可視画像情報１３ａを読取って得られた送り先の名称と照合することにより、封入物２２と、その送り先が一致するかが検査できる。
【実施例】
【００６６】
次に、本発明の情報記録物１の作製および読取結果の検討を行った例を実施例１、実施例２として説明する。なお、本発明はこれに限定されるものではない。
【００６７】
［実施例１］
＜蛍光材料を用いた水性インクの作製＞
赤外線発光層１５を形成するための蛍光材料として、赤外線励起・発光顔料「ＤＮＰＷＩＲ−1（根本特殊化学社製）」を水性インキ化した。調合重量比率を以下に示す。
ＤＮＰＷＩＲ−1（根本特殊化学社製）：５．０％
水溶性アクリル系樹脂：２０.０％
水：７４．０％
アルコール系溶剤：０.５％
分散剤：０.５％
【００６８】
＜画像情報の形成＞
電子写真方式のプリンタ、ＡｐｅｏｓＰｏｒｔ−ＩＩ  Ｃ４３００で、Ａ４判の普通紙を基材１１として、カーボンブラックを含む黒色トナーを用いて、可視画像情報１３ａとしてＪＡＮコードを１箇所に印刷した。また、第１の画像情報１３ｂ、第２の画像情報１３ｃとして、二次元コードを２箇所に印刷した。なお、ここでは第２の画像情報１３ｃのみを他と識別して読取るべき情報とした。
【００６９】
＜赤外線発光層１５の形成＞
第２の画像情報１３ｃとして印刷した二次元コード部分を覆うように、前述の蛍光材料を塗布して赤外線発光層１５とした。塗布には、サンエイテック社製ＳＶ９1を使用し、塗布後、４５℃で１０分間乾燥した。
【００７０】
＜赤外線透過・可視光反射／吸収層１７の形成＞
第１の画像情報１３ｂとして印刷した二次元コード部分と、上記の赤外線発光層１５を覆うように、黒色オフセット印刷用インキにてベタ部分を印刷して赤外線透過・可視光反射／吸収層１７とし、２箇所の二次元コード部分を目視できないように隠蔽した。黒色オフセット印刷用インキは、シアン、マゼンダ、イエローの顔料を混合して作製した、カーボンブラック顔料を含まない赤外線を透過するインキとした。以上のようにして形成した情報記録物１を、図７（ａ）に示す。
【００７１】
＜画像情報の読取結果＞
（１）可視光受光型のＣＣＤカメラを用いたバーコードリーダーにて、基材１１上に形成したコードの読み取りを行った。結果、可視画像情報１３ａとして形成したＪＡＮコードのみ読取ることができた。
【００７２】
（２）また、ピーク波長約８５０ｎｍの赤外線を照射し、波長約８５０ｎｍの赤外線を受光するバーコードリーダーにて、同じくコードの読み取りを行った。結果、基材１１上に形成したＪＡＮコードと２箇所の二次元コードの全てを読取ることができた。
【００７３】
（３）また、ピーク波長約８１０ｎｍの赤外線を照射し、波長約１０００ｎｍの赤外線を受光するバーコードリーダーにて、同じくコードの読み取りを行った。結果、第２の画像情報１３ｃとして形成した二次元コードのみ読み取ることができた。これにより、真に必要なコード１点を識別して読み取ることができた。
【００７４】
［実施例２］
実施例１ではコードの読取について検討したが、実施例２では、画像情報による暗号化情報の読取について検討した。
【００７５】
＜蛍光材料等＞
赤外線発光層１５、可視画像情報１３ａ、第１の画像情報１３ｂ、第２の画像情報１３ｃ、赤外線発光層１５、赤外線透過・可視光反射／吸収層１７の形成方法は実施例１と同様とした。ただし、可視画像情報１３ａ、第１の画像情報１３ｂ、第２の画像情報１３ｃは、文字情報とし、第２の画像情報１３ｃを暗号化情報とした。以上のようにして形成した情報記録物１を、図７（ｂ）に示す。
【００７６】
＜画像情報の読取結果＞
（１）目視、または可視光受光型のＣＣＤカメラにて、基材１１上に形成した文字情報の読み取りを行った。結果、可視画像情報１３ａとして形成した文字情報のみ読取ることができた。
【００７７】
（２）また、ピーク波長約８５０ｎｍの赤外線を照射し、波長約８５０ｎｍの赤外線を受光するＣＣＤカメラにて、同じく文字情報の読取りを行った。結果、基材１１上に形成した文字情報の全てを読取ることができた。
【００７８】
（３）また、ピーク波長約８１０ｎｍの赤外線を照射し、波長約１０００ｎｍの赤外線を受光するＣＣＤカメラにて、同じく文字情報の読取りを行った。結果、第２の画像情報１３ｃとして形成した文字情報のみ読取ることができた。これにより、文字情報中の真に必要な暗号化情報のみ識別して読み取ることができた。
【００７９】
以上、添付図面を参照しながら、本発明の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００８０】
１、１ａ、１ｂ：情報記録物
１１：基材
１３ａ：可視画像情報
１３ｂ：第１の画像情報
１３ｃ：第２の画像情報
１５：赤外線発光層
１７：赤外線透過・可視光反射／吸収層
５０ａ、５０ｂ、５０ｃ：読取装置
【図１】
2014127140.tif 000003
【図２】
2014127140.tif 000004
【図３】
2014127140.tif 000005
【図５】
2014127140.tif 000006
【図６】
2014127140.tif 000007
【図４】
2014127140.tif 000008
【図７】
2014127140.tif 000009